(57)【要約】【課題】本発明の課題は、工事現場等に使用でき、工事現場で発生し、周囲に漏れる騒音を減衰させる防音性能を維持し、強風時には強風を通過させることで、シートが受ける風圧を緩和できる通風性防音シートを提供する。【解決手段】工事現場の内側から発生し、外部に漏れる騒音を小さくするために、吸音、遮音、制振材による単層または複層のシートにさらに、風を通過させる通風口を付設し、通風口は、風は通過させるが、音は減衰する手段を備えた。【選択図】図１
2010126936.tif 000002
【特許請求の範囲】
【請求項１】
工事現場を覆う防音シートにおいて、風による風圧を緩和するために、前記防音シートに風を通過させる通風口を付設したことを特徴とする通風性防音シート。
【請求項２】
前記通風口は、一部が前記防音シートと接続し他の部分は前記防音シートとの間に切れ目を有する可動片を有し、前記可動片が前記風により押されてあくようになっていることを特徴とする請求項１記載の通風性防音シート。
【請求項３】
前記防音シートは、複数の雨樋形状部が並列して接続され、前記雨樋形状部の底面に前記通風口を設けたことを特徴とする請求項２記載の通風性防音シート。
【請求項４】
前記通風口は、前記可動片のサイズより小さくしたことで、前記可動片が前記通風口を重複部を持ってふさいでいることを特徴とする請求項２又は請求項３記載の通風性防音シート。
【請求項５】
前記通風口は複数個存在し、前記通風口の一部に接続された可動片は前記防音シートの一面側にあり、他の通風口に接続された可動片は前記防音シートの他の面側にあることで、前記風が前記防音シートの両方向から通過することを可能としたことを特徴とする請求項２から請求項４のいずれか1つに記載の通風性防音シート。
【請求項６】
前記防音シートは、吹流し部を有し、前記吹流し部は、少なくとも内面に吸音材又は、遮音材又は、制振材のいずれか１つを含み、かつ、前記吹流し部の一端は円形又は多角形に開いた開口部１を有し、且つ前記防音シートに接続して前記通風口を形成し、前記吹流し部の他端は、風が通過しないときは閉じていて、風が通過することにより円筒形又は多角筒形に広がる開口部２を有することを特徴とする請求項１記載の通風性防音シート。
【請求項７】
前記防音シートは、前記通風口となる間隔だけ離れて傾斜角を持って斜めに積層された複数枚の防音板を有することで、前記防音板の間に前記通風口と風通過パスが出来、前記音が前記風通過パスを通過する間に減衰するようにしたことを特徴とする請求項1記載の通風性防音シート。
【請求項８】
前記防音シートは、音を受けて反射吸収する複数の反射吸収凹部を有し、前記反射吸収凹部は、広い開口部側から次第に狭まり閉じる形状であり、前記反射吸収凹部の広い開口部側に近い部分に前記通風口が開いていることを特徴とする請求項1記載の通風性防音シート。
【請求項９】
前記防音シートは、その一面側に開いた前記通風口から他の面側に開いた前記通風口に前記風を通過させる曲折した風通過パスを有し、前記風通過パスを構成する壁面は、少なくとも吸音材又は、遮音材又は、制振材のいずれか１つを含む素材で構成されることで、音が反射と吸収を受けて減衰しながら伝わるようにしたことを特徴とする請求項1記載の通風性防音シート。
【請求項１０】
前記防音シートの周辺部には、結接を補助するためのハト目、単管への噛み合い結接を容易にする単管ハサミ部、隣り合う前記防音シート間の重複接続を容易にするオスメス型の重複噛み合い具、ベルクロ、粘着部、ゴム磁石結合部のうち少なくとも１つを有することを特徴とする請求項１〜請求項９のいずれか１つに記載の通風性防音シート。
【請求項１１】
前記防音シートは、光を透過するように透明であることを特徴とする請求項１〜請求項１０のいずれか１つに記載の通風性防音シート。
【請求項１２】
前記通風口を有する前記防音シートと、前記防音シートの周辺に接続し、ハト目穴を含む伸縮自在固定部を有していることを特徴とする請求項１〜請求項１１のいずれか１つに記載の通風性防音シート。
【発明の詳細な説明】
【技術分野】
【０００１】
本発明は、工事現場等で発生し周囲に漏れ、迷惑をかける騒音を減衰させ、かつ強風を受けた場合は、これを通過させ逃がすことで風圧を緩和させ、風圧による事故を防止しうる通風性防音シートに関するものである。
【背景技術】
【０００２】
従来、工事現場では、多くの騒音を発生させること、及び落下物の危険から周辺への迷惑、事故防止のため、単管で足場を組み、シートで養生している。かかる養生シートの例として幾つか挙げられる。特許文献１では、建築作業現場で屋根等に使用するシートの通風性について提案されている。図１２に示すように、シートに千鳥状に開口した通風孔を設け、シート表面に開閉可能なフラップを接着して通風性を確保する構成である。次に、特許文献２に示されている養生シートは、図１３に示すように、水平に伸びる登頂部分を境にして両側に流れる切妻構造を有し、隣り合うシートの端部が重なった部分に通風孔を設けたシートであり、建造中の建物の仮設屋根として提案されたものである。特許文献１、特許文献２ともに、通風性、防水性の機能が挙げられているが、いずれも防音性を付与する構造がない為、騒音を削減させる効果は期待できない。防音性と通風性という矛盾する
機能を実現することは難しい課題であり、例を見ない。また、通風性においても、一方側からの通風にしか対応しておらず、通風性を有しない側から強風を受けた場合、シートで覆った足場や梁などに風圧をそのまま及ぼしてしまうという欠点がある。騒音防止するための提案としては、特許文献３に示される防音シートが提案され販売されている。これらの防音シートは、吸音材や遮音材、制振材を単層または組み合わせて複層に形成したシートで、防音性能はあるが、風を逃がす機構がない為、特許文献１、特許文献２と同様、強風の風圧を直接うけてしまう場合があり、強固な足場としておく必要があるため、足場組作業の効率低下や足場構成部材のコストアップ等を招いている。
【特許文献１】特開平１０−２２７１３３
【特許文献２】特開２００５−２１３９８８
【特許文献３】特開２０００−２２６９３４
【発明の開示】
【発明が解決しようとする課題】
【０００３】
本発明の課題は、工事現場等に使用でき、工事現場で発生し、周囲に漏れる騒音を減衰させる防音性能を維持し、強風時には強風を通過させることで、シートが受ける風圧を緩和できる通風性防音シートを提供することである。
【課題を解決するための手段】
【０００４】
本発明にかかる通風性防音シートは、工事現場の内側から発生し、外部に漏れる騒音を小さくするために、吸音、遮音、制振材による単層または複層のシートにさらに、風を通過させる通風口を付設し、通風口は、風は通過させるが、音は減衰する手段を備えた事を特徴としている。以下説明する。
【０００５】
請求項１記載の発明は、通風性防音シートであって、工事現場を覆う防音シートにおいて、風による風圧を緩和するために、前記防音シートに風を通過させる通風口を付設したことを特徴とする。
【０００６】
請求項２記載の発明は、請求項１記載の通風性防音シートにおいて、前記通風口は、一部が前記防音シートと接続し他の部分は前記防音シートとの間に切れ目を有する可動片を有し、前記可動片が前記風により押されてあくようになっていることを特徴とする。
【０００７】
請求項３記載の発明は、請求項２記載の通風性防音シートにおいて、前記防音シートは、複数の雨樋が並列して接続された形状であり、前記雨樋の形状の底面に前記通風口を設けたことを特徴とする。
【０００８】
請求項４記載の発明は、請求項２又は請求項３記載の通風性防音シートにおいて、前記通風口は、前記可動片のサイズより小さくしたことで、前記可動片が前記通風口を重複部を持ってふさいでいることを特徴とする。
【０００９】
請求項５記載の発明は、請求項２から請求項４のいずれか1つに記載の通風性防音シートにおいて、前記通風口は複数個存在し、前記通風口の一部に接続された可動片は前記防音シートの一面側にあり、他の通風口に接続された可動片は前記防音シートの他の面側にあることで、前記風が前記防音シートの両方向から通過することを可能としたことを特徴とする。
【００１０】
請求項６記載の発明は、請求項１記載の通風性防音シートにおいて、前記防音シートには、吹流し部を有し、前記吹流し部は、少なくとも内面に吸音材又は、遮音材又は、制振材のいずれか１つを含み、かつ、前記吹流し部の一端は円形又は多角形に開いた開口部１を有し、且つ前記防音シートに接続して前記通風口を形成し、前記吹流し部の他端は、風が通過しないときは閉じていて、風が通過することにより円筒形又は多角筒形に広がる開口部２を有することを特徴とする。
【００１１】
請求項７記載の発明は、請求項1記載の通風性防音シートにおいて、前記防音シートは、前記通風口となる間隔だけ離れて傾斜角を持って斜めに積層された複数枚の防音板を有することで、前記防音板の間に前記通風口と風通過パスが出来、前記音が前記風通過パスを通過する間に減衰するようにしたことを特徴とする。
【００１２】
請求項８記載の発明は、請求項1記載の通風性防音シートにおいて、前記防音シートは、音を受けて反射吸収する複数の反射吸収凹部を有し、前記反射吸収凹部は、広い開口部側から次第に狭まり閉じる形状であり、前記反射吸収凹部の広い開口部側に近い部分に前記通風口が開いていることを特徴とする。
【００１３】
請求項９記載の発明は、請求項1記載の通風性防音シートにおいて、前記防音シートは、その一面側に開いた前記通風口から他の面側に開いた前記通風口に前記風を通過させる曲折した風通過パスを有し、前記風通過パスを構成する壁面は、少なくとも吸音材又は、遮音材又は、制振材のいずれか１つを含む素材で構成されることで、音が反射と吸収を受けて減衰しながら伝わるようにしたことを特徴とする。
【００１４】
請求項１０記載の発明は、請求項１〜請求項９のいずれか１つに記載の通風性防音シートにおいて、前記防音シートの周辺部には、結接を補助するためのハト目、単管への噛み合い結接を容易にする単管ハサミ部、隣り合う前記防音シート間の重複接続を容易にするオスメス型の重複噛み合い具、ベルクロ、粘着部、ゴム磁石結合部のうち少なくとも１つを有することを特徴とする。
【００１５】
請求項１１記載の発明は、請求項１〜請求項１０のいずれか１つに記載の通風性防音シートにおいて、前記防音シートは、光を透過するように透明であることを特徴とする。
【００１６】
請求項１２記載の発明は、請求項１〜請求項１１のいずれか１つに記載の通風性防音シートにおいて、前記通風口を有する前記防音シートと、前記防音シートの周辺に接続し、ハト目穴を含む伸縮自在固定部を有していることを特徴とする。
【発明の効果】
【００１７】
以上の様に構成されているので、本発明の通風性防音シートは、工事現場の内側で発生した騒音をシートが反射、吸収し、透過した音の強度を低減する防音機能と、強風時は、シートの通風口から風を通過させ逃がすので、風圧を緩和するため、風圧による事故の発生を防止することができる。
【発明を実施するための最良の形態】
【００１８】
発明を実施するための最良の形態として、工事現場を覆う防音シートにおいて、吸音材又は及び遮音材又は及び制振材による単層または複層の防音シートであり、且つ、風による風圧を緩和するために、前記防音シートに風を通過させる通風口を付設したものである。
以下に実施態様をもって説明する。
【００１９】
図１は、本発明にかかる通風性防音シートの一実施態様を示す図である。１−Ａにおいて、通風性防音シート１００は、１枚のシート状であって、防音シート１０１の一部に、強風を通過させるための通風口１０１を有している。この例では、矩形の通風口１０１が多数上下に並んでいる。矩形の３辺は、切れ目１０２となっていて、１辺は点線で示す接続部（切れていない部分）１０３となっている。このため、１−Ｂに示すように、矢印の風を受けると風に押されて、通風口カバー部１０４が開いて、風を通過させることが可能である。
通常は、１枚のシートに切れ目１０２を入れたものなので、通風性防音シート１００全体が防音性能を持っていることは勿論である。１−Ａの場合には、風はシートのどちら側から来ても風を通過できる点ではよいが、切れ目１０２の微小な間隙から音が漏れる難点がある。通風性防音シート１００の周辺には、設置する単管に結びつけるためのハト目穴１０５が付いている。１−Ｃでは、通風口１０１が横長形状になった場合であり、１−Ｄでは、縦長形状になった場合であり、１−Ｅでは、１−Ａとの違いは、切れ目１０２の位置の違いである。動作は、１−Ａでの説明と同じなので省略する。図１のものは、切れ目を入れるだけでできるので、製造が容易である利点がある。
【００２０】
図２は、本発明にかかる通風性防音シートの別の一実施態様を示す図である。この通風性防音シート２００では、通風口２０１のサイズが通風口カバー部２０４のサイズより小さくなっている。これは、図１の切れ目１０２の微小な間隙から音が漏れる難点を克服するため、隙間を覆うためである。２−Ｂには、多数の通風口２０１を有する通風板２００Ｂを示し、２−Ｃには、通風口２０１の対応位置に通風口２０１より少し大きな通風口カバー部２０４を有する防音シート２００Ｃを示す。防音シート２００Ｃは、図１の１−Ａに示す通風性防音シート１００と同じとなっている。通風性防音シート２００は、通風板２００Ｂの上に防音シート２００Ｃを重ねて接着したものとなっている。従って、２層のものを接着すれば、このようなものができる。この難点は、シートの裏表で一方側から吹く風しか通過できないことである。工事現場において、作業場所の１面側の外から入った風は、その面とは反対側では、内側から外側に通過することが必要であり。そのため、両方向の通過に対応することが好ましい。２−Ｄでは、通風口カバー部２０４が、風を外側（シートの一面側）方向に通過させるものと内側（シートの他の面側）方向に通過させるものの両方を有している。このためには、２−Ｂに示す通風板２００Ｂの片側に、２−Ｅに示す防音シート２００Ｅ、反対側に２−Ｆに示す防音シート２００Ｆを重ねて貼り付ければよい。防音シート２００Ｅと２００Ｆでは、通風口カバー部２０４を有さない部分は、通風口２０１より大きな通風穴２０５を有している。
【００２１】
図３は、本発明にかかる通風性防音シートの別の一実施態様を示す図である。ここでは、通風性防音シート３００の防音シート３００Ａが図１、図２の平面シート状ではまなく、雨樋を横に連結したような形状になっている。矢印の方向から来た風は、一旦樋の面で受け、樋に付設した通風口３０１から通風口カバー部３０４を押し開いて通過する。３−Ａでは、通風性防音シート３００のみをしめし、３−Ｂにはこれに足場の単管等への取り付け枠３０５を有するものを示している。
【００２２】
図４は、本発明にかかる通風性防音シートの別の一実施態様を示す図である。ここでは図１から図３のものとは異なった通風口の形体を有するものであり、通風口４０１が吹き流し部４０２を有しているものである。前記吹流し部の一端は円形又は多角形に開いた開口部１を有し、且つ前記防音シートに接続して前記通風口を形成し、前記吹流し部の他端は、風が通過しないときは閉じていて、風が通過することにより円筒形又は多角筒形に広がる開口部２を有する。詳細を説明すると、これは、風向きと強さを見る吹き流しを想定すればよい。管状の両端はあいていて、一端は常に開いていて開口部１となり、ここから風をいれ、他端からだす。風が弱いときは、だらりと垂れていて、風の通る通過パスも殆ど塞がっている。風が強くなると他端の開口部２が開き通過パスが出来て、風が通過する。この吹き流し部４０２も防音材で構成すれば、この中を通過する音は、風が弱いときは、防音材の隙間を通過中に防音材に殆ど吸収されてしまう。風が強いときは、通過パスが開くが、風の揺らぎにより、吹き流し部４０２の形状が変化し、音が拡散して防音材に吸収されるため、音が小さくなる。４−Ａでは、通風性防音シート４００の防音シート４００Ａの上にある通風口４０１に吹き流し部４０２がある。図２の２−Ｄと同様に、この例では、風が両側から通過できるように吹き流し部４０２が両側通過対応になっている。４−Ａの通風口４０１と吹き流し部４０２の形状が円形なのに対して、４−Ｂでは、矩形の形状にしたものであり、動作は同じである。
【００２３】
図５は、本発明にかかる通風性防音シートの別の一実施態様を示す図である。これは、防音材を有する防音板５０１の複数枚が、通風口５０２となる間隔Ｄ離れて傾斜角５０３を持って斜めに積層されていることで、防音板５０１の間に通風口５０２と風通過パス５０４が出来、風が通過できる。斜めに積層されていることで、音は、通風口５０２と風通過パス５０４を通過中に防音板５０１に反射されながら進み、吸収されて減衰する。５−Ａには、通風性防音シート５００の全体形状を示している。５−Ｂでは、２枚の防風板５０１の間を風と音が進む状況を示している。５−Ｃでは、５−Ｂの２枚の防風板５０１の横から見た断面を示し、音が防音板５０１に反射と吸収をされて減衰する様子を示している。
５−Ｄから５−Ｆは、防風板５０１の１枚の形状であり、５−Ｄでは、平板状、５−Ｅでは、山形に折曲がりを１つもった形状、５−Ｆでは、山形に折曲がりを２つもった形状であり、折曲がりがあるほど、音の吸収減衰が大きくなる。
【００２４】
図６は、本発明にかかる通風性防音シートの別の一実施態様を示す図である。通風性防音シート６００は、複数の反射吸収凹部６０１を有し、反射吸収凹部６０１は、広い開口部側から次第に狭まり閉じる形状であり、６−Ａでは、６−Ｂに示すように半球状となっている、６−Ｃでは、広い開口部側が矩形のピラミッド形状をしている。広い開口部側から入った音は、狭まった面で反射と吸収をして減衰するようになっている。尚、反射吸収凹部６０１の広い開口部側に近い部分には、通風口６０２が開いている。ここから風は入り込み通過することができる。
【００２５】
図７は、本発明にかかる通風性防音シートの別の一実施態様を示す図である。これは、防音シート７００の表面から裏面に音が反射しながら伝わるように曲折した風通過パス７０４を形成している。風はどちら側から来ても通過する。音は、通過中に風通過パス７０４の側壁に反射と吸収をして減衰する。７−Ａでは、通風性防音シート７００の全体を示し、７−Ｂでは、通風口７０２と風通過パス７０４の部分の断面を示し、７−Ｃでは、７−Ｂに示すものを３つの層を貼り合わせて作成する場合のそれぞれの層の通過穴７０５の位置関係を示している。尚、７−Ａ、７−Ｂ、７−Ｃの各々に防音板に球状の凹または凸部７０６を設けているが音を拡散吸収を図るためである。
【００２６】
図８は、本発明にかかる通風性防音シートを足場の単管に付設した状況を示す図である。ここでは、単管についた棒状の付設具８０２に通風性防音シート８００のハト目穴８０３を通し、固定している。
【００２７】
図９は、本発明にかかる通風性防音シートの複数枚を重複をさせながら足場の単管に付設した状況を示す図である。重複部は音が漏れないように隙間なく接触する方が好ましいので、図９では、ベルクロを通風性防音シートの両側に設置し、交互に結接できるようにしている。９−Ａでは、
通風性防音シートの複数枚を重複をさせながら足場の単管に付設した状況の全体を示し、９−Ｂでは、通風性防音シートの重複部となる周辺にベルクロを付設した状況を示し、９−Ｃでは、１面にオスとメスの両方の結接具を有するベルクロを示している。又、結節具については、ベルクロ以外に粘着層を有する粘着部又は、及びゴム磁石結合部も利用できる。このテープでは、通風性防音シート間の重ね方に自由度ができて都合がよい。
【００２８】
図１０は、足場の単管に付設するに都合がよい単管ハサミ部と通風性防音シート間の重複接続を容易にする重複噛み合い具を有する通風性防音シートを示す図である。１０−Ａでは、このような通風性防音シートを単管に設置した状態を示し、１０−Ｂでは、このような通風性防音シートを示している。１０−Ｂにおいて、単管ハサミ部１００１は、単管に挟む形状を有し、重複噛み合い具は、重複噛み合い具メス部１００２とこれに嵌め込まれる重複噛み合い具オス部１００３を有している。
【００２９】
図１１は、本発明にかかる通風性防音シートの別の実施態様を示す図である。通風性防音シート１１００全体は、図１から図７に示す通風口１１０１を有する防音シート１１０２と、この周辺に接続したハト目穴１１０３を含む伸縮自在固定部１１０４を有している。この構成では、ハト目穴１１０３を単管等に付けられた固定用具につけるときに伸縮自在固定部１１０４の伸縮性によって、位置の微妙なずれにも対応でき、且つシートをしわやゆがみにならず張ることができ極めて都合がよい。
【００３０】
以上の通風性防音シートに使われる防音材としては、市場でも販売され、特許文献２から特許文献５にも紹介されているものを利用することができる。遮音シート、防音シートは、三菱樹脂株式会社、日東紡株式会社から販売されている。  素材も塩ビ樹脂、オレフィン樹脂など多くあり、選択できる。又、通風性防音シート自体は、作業現場を覆ってしまうことになるので、透明で採光できるものが好ましい。日中の作業においては、外光を取り入れた作業を行うことが好ましいからである。
【特許文献２】特開２００６−９８９６６
【特許文献３】特開２０００−１２７２７５
【特許文献４】特開平７−８１００７
【特許文献５】特開平５−２３９７
【産業上の利用可能性】
【００３１】
以上のような通風性防音シートでは、防音性能を確保しながら、強風を通過させ、風圧を和らげることで、防音シートの事故を防ぐので、工事作業現場の防音養生にとって好都合であり、産業上利用性が極めて大きい。
【図面の簡単な説明】
【００３２】
【図１】本発明にかかる通風性防音シートの一実施態様を示す図である。
【図２】本発明にかかる通風性防音シートの別の一実施態様を示す図である。
【図３】本発明にかかる通風性防音シートの別の一実施態様を示す図である。
【図４】本発明にかかる通風性防音シートの別の一実施態様を示す図である。
【図５】本発明にかかる通風性防音シートの別の一実施態様を示す図である。
【図６】本発明にかかる通風性防音シートの別の一実施態様を示す図である。
【図７】本発明にかかる通風性防音シートの別の一実施態様を示す図である。
【図８】本発明にかかる通風性防音シートを足場の単管に付設した状況を示す図である。
【図９】本発明にかかる通風性防音シートの複数枚を重複をさせながら足場の単管に付設した状況を示す図である。
【図１０】本発明にかかる通風性防音シートにおいて、足場の単管に付設するに都合がよい単管ハサミ部と通風性防音シート間の重複接続を容易にする重複噛み合い具を有する通風性防音シートを示す図である。
【図１１】本発明にかかる通風性防音シートの別の実施態様を示す図である。
【図１２】従来の通風性を有する養生シートを示す図である。
【図１３】従来の通風性を有する養生シートを示す図である。
【符号の説明】
【００３３】
１００、２００、３００、４００、５００、６００、７００、８００、１１００  通風性防音シート
１０１、２０１、３０１、４０１、５０２、６０２、７０２、１１０１  通風口
１０２  切れ目
１０３  接続部
１０４、２０４、３０４  通風口カバー部
２００Ｃ、２００Ｅ、２００Ｆ、３００Ａ、４００Ａ、１１０２  防音シート  
３０５  取り付け枠
４０２  吹き流し部
５０１  防音板
５０３  傾斜角
５０４、７０４  風通過パス
６０１  反射吸収凹部
７０５  通過穴
７０６  凹または凸部
８０１  単管
８０２  棒状の付設具
８０３、１１０３  ハト目穴
１００１  単管ハサミ部
１００２  重複噛み合い具メス部
１００３  重複噛み合い具オス部
１１０４  伸縮自在固定部
【図１】
2010126936.tif 000003
【図２】
2010126936.tif 000004
【図３】
2010126936.tif 000005
【図４】
2010126936.tif 000006
【図５】
2010126936.tif 000007
【図６】
2010126936.tif 000008
【図７】
2010126936.tif 000009
【図８】
2010126936.tif 000010
【図９】
2010126936.tif 000011
【図１０】
2010126936.tif 000012
【図１１】
2010126936.tif 000013
【図１２】
2010126936.tif 000014
【図１３】
2010126936.tif 000015